(57)【要約】【課題】  気流案内手段の吹出口本体への取付状態を最適化して気流案内手段の上下位置切替え作業が容易且つ速やかに行え、気流の吹出状態をスムーズに切替えて適切な空気調和を実現できる吹出口装置の気流方向切替機構を提供する。【解決手段】  吹出口本体１０から内方に突出した支持用ピン部１４に対し、気流案内手段２０側にピン受部２３を付勢しつつ配設し、支持用ピン部１４とピン受部２３の凹部２４とを嵌合させることで吹出口本体１０に対し気流案内手段２０を取付状態とすることから、気流案内手段２０と吹出口本体１０の位置関係の変化した状態が容易に得られることとなり、簡単な操作で所望の吹出状態が得られ、どのような作業者でも空気調和状況に応じた適切な吹出状態を調整選択でき、吹出口装置１００による空気調和効果を高めることができる。【選択図】  図２
2006125728.tif 000002
【特許請求の範囲】
【請求項１】
空気調和用の気体を供給され、当該空気調和用気体を空気調和の対象となる空間側へ向わせる開口領域を有する略筒状の吹出口本体と、当該吹出口本体の開口領域に配置され、前記空気調和用気体を所定の吹出方向に案内する気流案内手段とを備えて、吹出口本体に対する気流案内手段の配置位置を変えて空気調和用気体を複数の吹出パターンで選択的に吹出せる吹出口装置内で、前記吹出口本体と気流案内手段との間に介設されて気流案内手段を吹出口本体に対し所定の可動範囲内で位置調整可能に保持する気流方向切替機構において、
前記吹出口本体の内周側複数箇所から開口領域内方へ突出させて配設される複数の支持用ピン部と、
前記支持用ピン部を嵌脱可能な凹部を複数並べて形成され、前記凹部の並ぶ向きが前記気流案内手段の吹出口本体内配置状態で吹出口本体の筒軸方向と平行となるようにして気流案内手段の外周部に複数配設され、前記気流案内手段に対し支持用ピン部突出方向と平行に所定範囲可動且つ吹出口本体内周面側へ近付こうとする向きに付勢された状態とされてなる複数のピン受部とを備え、
前記支持用ピン部をピン受部の凹部のいずれかにそれぞれ嵌合させ、前記気流案内手段をピン受部及び支持用ピンを介して吹出口本体内に保持状態とすることを
特徴とする気流方向切替機構。
【請求項２】
前記請求項１に記載の気流方向切替機構において、
所定の側面を一部開放状態とされた略筒状体で形成され、前記ピン受部の各凹部及び当該凹部間の領域を前記側面の開放部分に位置させつつピン受部を可動状態で収容して前記気流案内手段外周部に配設される複数のホルダ部を備え、
当該ホルダ部が、前記ピン受部におけるいずれかの凹部の側方にあたる部位を切欠かれ、当該切欠き部分を通過して支持用ピン部が側方から凹部に対し嵌脱可能とされることを
特徴とする気流方向切替機構。
【請求項３】
前記請求項２に記載の気流方向切替機構において、
前記ホルダ部の切欠き部分に面した前記ピン受部側部から切欠き部分を越えて側方に突出し、前記凹部の正面側に連なる面を突出先端側へ向うほど前記気流案内手段中心側へ後退する曲面又は平面状の案内面とされてピン受部と一体形成されるピン導入用ガイドを備えることを
特徴とする気流方向切替機構。
【発明の詳細な説明】
【技術分野】
【０００１】
本発明は、空気調和対象空間に面して配置される吹出口装置に関し、特に、吹出口本体に対し内側の気流案内手段を位置調整容易に保持して気流の吹出状態を適切に切替可能とする吹出口装置の気流方向切替機構に関する。
【背景技術】
【０００２】
空気調和設備において、ダクトを通じて送られる調和空気を空気調和対象空間としての室内空間に吹出す吹出口装置は、調和空気の気流を所定の固定された吹出状態で吹出すものに加えて、調和空気の気流吹出状態を複数通り切替可能であるものも一般的に使用されている。こうした調和空気を複数の吹出パターンで吹出すための気流方向切替機構のうち、最も簡略なものは、吹出口装置内部で中コーン等の気流案内手段を連続又は複数段階に移動可能に支持してその位置調整で気流の吹出状態を変化させる仕組みとなっていた。このような従来の吹出口装置の気流方向切替機構として、図７及び図８に示されるようなものがある。図７は従来の気流方向切替機構を用いた吹出口装置の概略構成断面図、図８は従来の気流方向切替機構による中コーン取付過程説明図である。
【０００３】
前記各図において従来の吹出口装置１００は、天井５０内に配設され、ダクト５１と接続されて調和空気を供給されるネック部１０１ａ及び、この空気を室内に吹出すコーン型の外コーン部１０１ｂを有し、この外コーン部１０１ｂの下端に開口面に対し垂直に起立する縁部１０１ｃを形成されてなる吹出口本体１０１と、複数のコーン型の羽根体１０２ａを所定間隔を隔てて同心状に重ねて一体に形成され、吹出口本体１０１の開口領域内側に配設される気流案内手段としての中コーン１０２とを備える構成である。
【０００４】
この吹出口装置１００における気流方向切替機構として、中コーン１０２の空気入口側外周面には、掛け金具１０３が複数配設されると共に、吹出口本体１０１の内周面には、上下二段に二つの受け部１０４ａを配設して形成した二段受け金具１０４が複数配設される構成であり、中コーン１０２を吹出口本体１０１内側に挿入し、正しい位置に動かしながら中コーン１０２の各掛け金具１０３を吹出口本体１０１の各二段受け金具１０４の上下二段の受け部１０４ａのどちらかに掛けることで、中コーン１０２を吹出口本体１０１に位置調整可能に取付ける仕組みである。
【０００５】
前記従来の吹出口装置１００の気流方向切替機構では、中コーン１０２の掛け金具１０３を掛ける位置を変えて中コーン１０２の吹出口本体１０１内での高さ位置を調節し、調和空気の吹出パターンを変えられる仕組みとなっていた。冷房の場合には掛け金具１０３を下段の受け部１０４ａに掛けて中コーン１０２を下寄りに取付け、羽根体１０２ａで案内された冷たい調和空気をそのまま横方向に吹出させ、室内空気より重い調和空気が室内に分散するようにする一方、暖房の場合には掛け金具１０３を上段の受け部１０４ａに掛けて中コーン１０２を上寄りに取付け、温かい調和空気を羽根体１０２ａの案内で吹出口本体１０１の縁部１０１ｃに当てて下向きに吹出させ、軽い調和空気が室内下方まで達するようにしている。
【発明の開示】
【発明が解決しようとする課題】
【０００６】
従来の気流方向切替機構は以上のように構成されており、二段受け金具１０４の各受け部１０４ａが、機能的には互いに関連無く、独立して上下に配設されているため、中コーン１０２を移動させて吹出状態を切替える際には、いったん掛け金具１０３を受け部１０４ａから取外す必要が生じることとなり、下段の受け部１０４ａでの支持状態が冷房時吹出状態、上段の受け部１０４ａでの支持状態が暖房時吹出状態にそれぞれ対応していることから、冷房から暖房、暖房から冷房への切替えの際には、そのつど中コーン１０２を吹出口本体１０１に対して上下移動させたり回転させたりして大きく動かし、掛け金具１０３の受け部１０４ａからの取外しと別の受け部１０４ａへの取付け作業が必要となり、素早く正確に作業を行うことが難しく、手間がかかってしまうという課題を有していた。
【０００７】
また、こうした作業中に中コーン１０２の羽根体１０２ａと吹出口本体１０１内側が接触しやすく、特に、角型の吹出口形状の場合には、羽根体１０２ａ角部が吹出口本体１０１の内周面に接触または衝突してこの面を傷付け、吹出口装置１００の美観を損なう危険性が極めて高いという課題を有していた。
【０００８】
本発明は前記課題を解消するためになされたもので、気流案内手段の吹出口本体への取付状態を最適化して気流案内手段の上下位置切替え作業が容易且つ速やかに行え、気流の吹出状態をスムーズに切替えて適切な空気調和を実現できる吹出口装置の気流方向切替機構を提供することを目的とする。
【課題を解決するための手段】
【０００９】
本発明に係る気流方向切替機構は、空気調和用の気体を供給され、当該空気調和用気体を空気調和の対象となる空間側へ向わせる開口領域を有する略筒状の吹出口本体と、当該吹出口本体の開口領域に配置され、前記空気調和用気体を所定の吹出方向に案内する気流案内手段とを備えて、吹出口本体に対する気流案内手段の配置位置を変えて空気調和用気体を複数の吹出パターンで選択的に吹出せる吹出口装置内で、前記吹出口本体と気流案内手段との間に介設されて気流案内手段を吹出口本体に対し所定の可動範囲内で位置調整可能に保持する気流方向切替機構において、前記吹出口本体の内周側複数箇所から開口領域内方へ突出させて配設される複数の支持用ピン部と、前記支持用ピン部を嵌脱可能な凹部を複数並べて形成され、前記凹部の並ぶ向きが前記気流案内手段の吹出口本体内配置状態で吹出口本体の筒軸方向と平行となるようにして気流案内手段の外周部に複数配設され、前記気流案内手段に対し支持用ピン部突出方向と平行に所定範囲可動且つ吹出口本体内周面側へ近付こうとする向きに付勢された状態とされてなる複数のピン受部とを備え、前記支持用ピン部をピン受部の凹部のいずれかにそれぞれ嵌合させ、前記気流案内手段をピン受部及び支持用ピンを介して吹出口本体内に保持状態とするものである。
【００１０】
このように本発明によれば、吹出口本体から内方に突出した支持用ピン部に対し、気流案内手段側に複数の凹部を備えるピン受部を吹出口本体内面へ近付く向きに付勢しつつ配設し、支持用ピン部とピン受部の凹部とを嵌合させて吹出口本体に対し気流案内手段を取付状態とすることにより、吹出口本体に対しその筒軸方向のいずれかに気流案内手段を少し強い力で動かすと、付勢されたピン受部の後退を伴いつつ支持用ピンがピン受部の凹部からずれ、新たに別の凹部に嵌合することとなり、気流案内手段と吹出口本体の位置関係の変化した状態が容易に得られ、どのような作業者でも簡単な操作で空気調和状況に応じた適切な吹出状態を調整選択でき、吹出口装置による空気調和効果を高めることができる。
【００１１】
また、本発明に係る気流方向切替機構は必要に応じて、所定の側面を一部開放状態とされた略筒状体で形成され、前記ピン受部の各凹部及び当該凹部間の領域を前記側面の開放部分に位置させつつピン受部を可動状態で収容して前記気流案内手段外周部に配設される複数のホルダ部を備え、当該ホルダ部が、前記ピン受部におけるいずれかの凹部の側方にあたる部位を切欠かれ、当該切欠き部分を通過して支持用ピン部が側方から凹部に対し嵌脱可能とされるものである。
【００１２】
このように本発明によれば、ピン受部を収容するホルダ部を設け、支持用ピン部の相対的な可動範囲をピン受部の凹部及びこれら凹部間に挟まれた部分に面するホルダ部の開放部分内にとどめて、支持用ピン部がそれより外側には達しないよう一部拘束することにより、支持用ピン部が凹部から離脱しても支持用ピン部先端がホルダ部内にとどまって気流案内手段の支持状態が維持されることとなり、気流案内手段が位置調整過程で解放状態にならず、作業者が誤って調整作業中に手を離しても落下等の危険を回避できる。また、ホルダ部でピン受部の不要な動きを抑えることができ、支持用ピン部とピン受部の凹部との嵌脱を常に一定の条件で行え、スムーズな取付作業が可能となる。
【００１３】
また、本発明に係る気流方向切替機構は必要に応じて、前記ホルダ部の切欠き部分に面した前記ピン受部側部から切欠き部分を越えて側方に突出し、前記凹部の正面側に連なる面を突出先端側へ向うほど前記気流案内手段中心側へ後退する曲面又は平面状の案内面とされてピン受部と一体形成されるピン導入用ガイドを備えるものである。
【００１４】
このように本発明によれば、ピン受部の凹部側方に突出するピン導入用ガイドを配設し、気流案内手段の吹出口本体取付時に、ピン導入用ガイドの突出先端側ほど気流案内手段中央寄りとなっている案内面に沿わせて支持用ピン部を相対移動させて凹部に導けることにより、支持用ピンの凹部との嵌合作業を強い力を要さずに容易に行えることとなり、気流案内手段の取付作業がよりスムーズに行えると共に、取付の際にピン受部及び支持用ピン部それぞれに無理な力が加わらず、破損が起りにくく耐久性を高められる。
【発明を実施するための最良の形態】
【００１５】
以下、本発明の一実施の形態に係る気流方向切替機構を図１ないし図６に基づいて説明する。図１は本実施の形態に係る気流方向切替機構を用いた吹出口装置の概略構成断面図及び一部省略底面図、図２は本実施の形態に係る気流方向切替機構の横断面図及び縦断面図並びに外周側の側面図、図３は本実施の形態に係る気流方向切替機構による中コーン取付過程説明図、図４は本実施の形態に係る気流方向切替機構による中コーン上下位置調整過程説明図、図５は本実施の形態に係る気流方向切替機構の気流水平吹出状態での配置説明図、図６は本実施の形態に係る気流方向切替機構の気流垂直吹出状態での配置説明図である。
【００１６】
前記各図において本実施の形態に係る気流方向切替機構１は、吹出口本体１０と前記気流案内手段としての中コーン２０とからなる多層コーン型の吹出口装置４０内の吹出口本体１０と中コーン２０との間に配設され、吹出口本体１０内側で中コーン２０を所定範囲移動可能に支持するものである。
【００１７】
前記吹出口装置４０をなす吹出口本体１０は、天井５０内に配設され、ダクト５１と接続されて調和空気を供給される略円筒状のネック部１１及び、室内空間側に向けて拡開形状となる外コーン部１２を有すると共に、この外コーン部１２の下端に開口面に対し垂直に起立する縁部１３が形成されてなる構成である。また、前記中コーン２０は、大きさの異なる複数のコーン型の羽根体２１をその中心が一致するように所定間隔隔てた状態で重ねて一体化して形成され、前記気流方向切替機構１を介して吹出口本体１０の開口領域中央に配置される構成である。
【００１８】
前記気流方向切替機構１は、吹出口本体１０の内周側に取付けられるものと、中コーン２０の外周側に取付けられるものがあり、吹出口本体１０の内周側に取付けられる部材として、吹出口本体１０の内周側で等間隔をなす複数箇所から開口領域内方へ突出させて配設される複数の支持用ピン部１４を備える構成である。
【００１９】
一方、気流方向切替機構１のうち、中コーン２０の外周側に取付けられるものとしては、側面を一部開放状態とされた略筒状体で形成され、前記側面の開放部分を中コーン２０中心に対し最も外周側に位置させつつ前記支持用ピン部１４に対応させて周方向等間隔で中コーン２０と一体に複数配設されるホルダ部２２と、支持用ピン部１４先端を嵌脱可能な凹部２４を上下方向に二つ並べて形成され、ホルダ部２２に対し支持用ピン部１４突出方向と平行に所定範囲移動可能且つ中コーン２０外方へ向けてばね２６で付勢された状態とされてホルダ部２２内に収容配設されるピン受部２３とを備える構成である。この気流切替機構をなすピン受部２３の凹部２４と支持用ピン部１４を嵌合させ、各ホルダ部２２内のピン受部２３を支持用ピン部１４に掛止状態とすることにより、中コーン２０は吹出口本体１０に位置調整可能に保持される仕組みである。このピン受部２３の凹部２４と支持用ピン部１４との嵌合状態は、ばね２６による付勢で確実に保持され、中コーン２０の自重により嵌合が外れて落下することはないものの、作業者が中コーン２０に対し押上げ又は引下げる操作力を加えると、容易に嵌脱を行わせて位置調整できる仕組みとなっている。
【００２０】
前記ホルダ部２２は、ピン受部２３の各凹部２４及びこれら凹部２４間の領域を前記側面の開放部分に位置させた状態でピン受部２３を収容支持すると共に、ピン受部２３における下段の凹部２４の側方にあたる部位を切欠かれた状態とされ、この切欠き部分を支持用ピン部１４が側方から凹部２４へ向け移動するための導入口とされてなる構成である（図２（Ｃ）参照）。
【００２１】
また、前記ピン受部２３には、ホルダ部２２の切欠き部分に面した下段の凹部２４横のピン受部２３側部から切欠き部分を越えて側方に突出し、凹部２４の正面側に連なる面を突出先端側へ向うほど中コーン２０中心側へ後退して吹出口本体１０内周面から離れる状態となる平面状の案内面２５ａとされてなるピン導入用ガイド２５が一体に配設される構成である（図２（Ａ）、（Ｃ）参照）。ピン受部２３のうちこのピン導入用ガイド２５のみが、ホルダ部２２の外側に出た状態となっている。なお、ピン導入用ガイド２５の案内面２５ａは、平面状に限らず、突出先端側へ向うほど中コーン２０中心側へ緩やかに湾曲する曲面状となっていてもかまわない。
【００２２】
次に、前記構成に基づく気流方向切替機構を用いる場合の吹出口装置における中コーン取付及び気流吹出状態調整動作について説明する。中コーン２０の取付は、まず、中コーン２０外側の気流方向切替機構をなすピン受部２３のピン導入用ガイド２５側に支持用ピン部１４が位置するようにして中コーン２０を吹出口本体１０の開口領域に挿入する。ピン受部２３のピン導入用ガイド２５と支持用ピン部１４が同じ高さ位置となるまで中コーン２０を挿入したら、中コーン２０を回転させ、ピン導入用ガイド２５を支持用ピン部１４に接触させる（図３（Ａ）参照）。同じ向きにそのまま中コーン２０を回転させると、ピン導入用ガイド２５を支持用ピン部１４先端で押してピン受部２３を開口領域中央側へずらしていく状態（図３（Ｂ）参照）となり、中コーン２０全体の回転は拘束されない。
【００２３】
そのまま支持用ピン部１４先端がピン導入用ガイド２５からピン受部２３のホルダ部２２内の部位に接触箇所を変え（図３（Ｃ）参照）、さらにピン受部２３における下段の凹部２４に嵌合する位置関係となるまで中コーン２０を回転させると、支持用ピン部１４が凹部２４に嵌合している状態が、ばね２６によるピン受部２３の付勢で維持されることとなり、中コーン２０が吹出口本体１０内に支持される。ピン導入用ガイド２５を設けて横方向からピン受部２３の凹部２４への支持用ピン部１４の進入、嵌合を容易にしていることから、中コーン取付作業がスムーズに行えると共に、ピン受部２３及び支持用ピン部１４それぞれに無理な力が加わらず、破損しにくくなっている。
【００２４】
中コーン２０を取外す場合は、中コーン２０を取付の場合と逆向きに回転させると、ピン受部２３の凹部２４が支持用ピン部１４と嵌合した状態からずれて外れ、支持用ピン部１４がピン受部２３のピン導入用ガイド２５を押しずらしながらピン受部２３から完全に離れる。こうしてピン受部２３及びホルダ部２２による上下方向の拘束が無くなり、中コーン２０を吹出口本体１０から取外せる。
【００２５】
続いて、気流吹出状態の切替動作について説明する。ダクト５１から送られた調和空気は、吹出口本体１０内を下向きに進んで吹出口本体１０と中コーン２０との間、並びに中コーン２０をなす各羽根体２１の間の領域に進入し、これらを通過する中で調和空気の気流は中コーン２０その他に案内されて進行方向を横向きに変えられ、各羽根体１２間を通過後、各羽根体１２間から吹出口本体１０室内側開口から出た気流はそのまま室内に向けて吹出す。吹出した気流は、室内空気を強力に誘引して混合しながら進行、拡散していくこととなる。
【００２６】
この吹出口本体１０から吹出す気流の状態は中コーン２０の位置によって変化する。すなわち、支持用ピン部１４がピン受部２３の下段の凹部２４と嵌合して中コーン２０の位置がより上方になると、調和空気の気流は、吹出口本体１０の縁部１３に案内され、縁部１３で進行方向を変えられて下向きの速度成分を与えられる状態となり、気流は吹出口から室内空間へ垂直下向きに進むこととなる。また、支持用ピン部１４がピン受部２３の上段の凹部２４と嵌合して中コーン２０の位置がより下方になると、調和空気の気流は、浅い傾斜の羽根体１２に沿って流れて横向きの速度成分が大きくなった状態でそのまま吹出口本体１０から室内空間へほぼ水平に吹出していくこととなる。
【００２７】
このような調和空気の吹出パターンを一方から他方に変える際には、吹出口本体１０内に支持されている中コーン２０を作業者が押上げ又は引下げ、一方の凹部２４に嵌合していた支持用ピン部１４が凹部２４間の中間部分を乗越えて他の凹部２４に向うように相対移動させ、支持用ピン部１４をピン受部２３の前と異なる凹部２４に嵌合させれば（図４参照）、中コーン２０が吹出口本体１０に対し以前と異なる位置に位置決めされて吹出パターンを変えることができる。この中コーン２０の上下位置調整作業の際、支持用ピン部１４はホルダ部２２の開放部分のみを相対的に動ける状態となっており、作業者が誤って中コーン２０から手を離しても支持用ピン部１４はホルダ部２２の開放部分にとどまって中コーン２０を保持し続けることとなり、中コーン２０の落下を防止できる。
【００２８】
実際の作業としては、調和空気の温度が低い冷房の場合、中コーン２０を必要に応じて引下げて支持用ピン部１４がピン受部２３の上段の凹部２４と嵌合した状態（図４（Ｃ）参照）として、中コーン２０と吹出口本体１０の下縁高さが略一致する下寄りの位置（図５参照）とする。この場合、調和空気の気流は、中コーン２０及び外コーン部１２に沿って流れてそのまま吹出口装置４０から室内空間へほぼ水平に吹出して拡散していき、低温で室内空間の空気より重い調和空気をすぐに下降させず室内空間に広く拡散させて室内空間の空気との混合を促進でき、効率よく且つ一様に室内空間の温度を低下させられる。
【００２９】
一方、調和空気の温度が高い暖房の場合、中コーン２０を必要に応じ押上げて支持用ピン部１４がピン受部２３の下段の凹部２４と嵌合した状態（図４（Ａ）参照）として、中コーン２０の下縁が吹出口本体１０の縁部１３上端と略同じ高さとなった上寄りの位置（図６参照）とする。この場合、調和空気の気流は、中コーン２０及び外コーン部１２に沿って横向きに進んだ後、吹出口本体１０の起立する縁部１３に当って垂直下向きに進行方向を変えた状態で吹出す。こうして調和空気の気流は、吹出口装置４０から室内空間へ下向きに進むこととなり、温かく室内空間の空気より軽い調和空気を確実に室内空間下方の居住域まで到達させられ、室内空間全体を暖められ、空気調和効果を大きく向上させられる。
【００３０】
このように、本実施の形態に係る気流方向切替機構では、吹出口本体１０から内方に突出した支持用ピン部１４に対し、中コーン２０側に複数の凹部２４を備えるピン受部２３を吹出口本体１０内面へ近付く向きに付勢しつつ配設し、支持用ピン部１４とピン受部２３の凹部２４とを嵌合させることで吹出口本体１０に対し中コーン２０を取付状態とすることができると共に、吹出口本体１０に対しその筒軸方向のいずれかに中コーン２０を少し強い力で動かすと、付勢されたピン受部２３の後退を伴いつつ支持用ピン部１４がピン受部２３の凹部２４からずれ、新たに別の凹部２４に嵌合することから、中コーン２０の吹出口本体１０に対する位置関係の変化した状態が容易に得られることとなり、簡単な操作で所望の吹出状態が得られ、どのような作業者でも空気調和状況に応じた適切な吹出状態を調整選択でき、吹出口装置４０による空気調和効果を高めることができる。。
【図面の簡単な説明】
【００３１】
【図１】本発明の一実施の形態に係る気流方向切替機構を用いた吹出口装置の概略構成断面図及び一部省略底面図である。
【図２】本発明の一実施の形態に係る気流方向切替機構の横断面図及び縦断面図並びに外周側の側面図である。
【図３】本発明の一実施の形態に係る気流方向切替機構による中コーン取付過程説明図である。
【図４】本発明の一実施の形態に係る気流方向切替機構による中コーン上下位置調整過程説明図である。
【図５】本発明の一実施の形態に係る気流方向切替機構の気流水平吹出状態での配置説明図である。
【図６】本発明の一実施の形態に係る気流方向切替機構の気流垂直吹出状態での配置説明図である。
【図７】従来の気流方向切替機構を用いた吹出口装置の概略構成断面図である。
【図８】従来の気流方向切替機構による中コーン取付過程説明図である。
【符号の説明】
【００３２】
１              気流方向切替機構
１０、１０１    吹出口本体
１１、１０１ａ  ネック部
１２、１０１ｂ  外コーン部
１３、１０１ｃ  縁部
１４            支持用ピン部
２０、１０２    中コーン
２１、１０２ａ  羽根体
２２            ホルダ部
２３            ピン受部
２４            凹部
２５            ピン導入用ガイド
２５ａ          案内面
２６            ばね
４０、１００    吹出口装置
５０            天井
５１            ダクト
１０３          掛け金具
１０４          二段受け金具
１０４ａ        受け部
【図１】
2006125728.tif 000003
【図２】
2006125728.tif 000004
【図３】
2006125728.tif 000005
【図４】
2006125728.tif 000006
【図５】
2006125728.tif 000007
【図６】
2006125728.tif 000008
【図７】
2006125728.tif 000009
【図８】
2006125728.tif 000010